(57)【要約】      （修正有）【課題】電子機器を効果的に支持し、安全性と信頼性を向上させる、支持機能付きのアダプタを提供する。【解決手段】支持機能付きのアダプタは、ベース１と、上蓋２と、制御板と、制御板に電気的に接続された変換アダプタ４と、制御板にそれぞれ電気的に接続された複数の変換インターフェースと、を備え、上蓋２には椀状の溝２１が設けられ、ベース１には複数の滑り止めゴムパッド１１が設けられる。さらに、溝の側壁には複数のネジ孔が等間隔に配置され、ベースのネジ孔に対応する位置には、取付孔が開設され、アダプタは上蓋をベースに取り付けるための複数のネジを備え、対応するネジ孔に螺合される。さらに、アダプタはベース内にメモリを備え、制御板に電気的に接続される。【選択図】図１
0003235489.tif 000002
【実用新案登録請求の範囲】
【請求項１】
ベースと、前記ベースに設けられ、前記ベースをカバーするための上蓋と、前記ベース内に設けられた制御板と、前記制御板に電気的に接続された変換アダプタと、前記制御板にそれぞれ電気的に接続された複数の変換インターフェースと、を備える支持機能付きのアダプタであって、前記上蓋のうち、前記ベースの底面に面する方向には、電子機器を支持するための溝が設けられ、前記溝は椀状を呈し、前記ベースのうち、前記上蓋から乖離する側面には、複数の滑り止めゴムパッドが等間隔に配置されることを特徴とする支持機能付きのアダプタ。
【請求項２】
前記溝の側壁には複数のネジ孔が等間隔に配置され、前記ベースのうち、それぞれの前記ネジ孔に対応する位置には、取付孔が開設され、前記支持機能付きのアダプタは前記上蓋を前記ベースに取り付けるための複数のネジをさらに備え、それぞれの前記ネジは対応する前記取付孔を貫通し、対応する前記ネジ孔に螺合されることを特徴とする請求項１に記載の支持機能付きのアダプタ。
【請求項３】
前記ベース内に設けられたメモリをさらに備え、前記メモリは前記制御板に電気的に接続されることを特徴とする請求項１に記載の支持機能付きのアダプタ。
【請求項４】
前記ベースのうち、前記メモリに対応する位置には、開孔が開設され、前記開孔内には前記ベースに着脱可能に接続されたカードプレートが設けられることを特徴とする請求項３に記載の支持機能付きのアダプタ。
【請求項５】
前記制御板と前記変換アダプタを電気的に接続するための導体をさらに備え、前記ベースには前記導体が貫通する貫通孔が開設され、前記導体の一端は前記ベース内に延在し、前記制御板に接続され、前記導体の他端は前記貫通孔を貫通して前記変換アダプタに接続されることを特徴とする請求項１に記載の支持機能付きのアダプタ。
【請求項６】
前記ベースには前記変換アダプタを収容するためのカードスロットが設けられることを特徴とする請求項５に記載の支持機能付きのアダプタ。
【請求項７】
前記カードスロットに磁気ストライプが設けられ、前記変換アダプタには前記磁気ストライプに磁気的に接続された導磁片が対応して設けられることを特徴とする請求項６に記載の支持機能付きのアダプタ。
【請求項８】
前記変換インターフェースは前記制御板に電気的に接続された第１ポートを備え、前記ベースには前記第１ポートを支持するための第１端子孔が対応して設けられることを特徴とする請求項１〜７のいずれか一項に記載の支持機能付きのアダプタ。
【請求項９】
前記変換インターフェースは前記制御板に電気的に接続された第２ポートをさらに備え、前記ベースには前記第２ポートを支持するための第２端子孔が対応して設けられることを特徴とする請求項８に記載の支持機能付きのアダプタ。
【請求項１０】
前記変換インターフェースは前記制御板に電気的に接続された第３ポートをさらに備え、前記ベースには前記第３ポートを支持するための第３端子孔が対応して設けられることを特徴とする請求項９に記載の支持機能付きのアダプタ。
【考案の詳細な説明】
【技術分野】
【０００１】
本考案は電子機器の技術分野に適用され、さらに具体的には、支持機能付きのアダプタに関する。
【背景技術】
【０００２】
アダプタは、別個のハードウェアインターフェースデバイスとして、ハードウェア又は電子インターフェースから他のハードウェア又は電子インターフェースへの接続を可能にし、電子機器間の信号転送を実現するインターフェース変換装置である。アップル社の最新のＭａｃ  Ｍｉｎｉ（登録商標）が世界を席巻するにつれ、このＭａｃ  Ｍｉｎｉという電子製品に適用されるアダプタも生まれてきた。
【考案の概要】
【考案が解決しようとする課題】
【０００３】
しかし、現在のアダプタには、次のような欠点がある。アダプタの構造やサイズが小さく設計されており、Ｍａｃ  Ｍｉｎｉに外部接続される場合、Ｍａｃ  Ｍｉｎｉを効果的に支持することができないため、Ｍａｃ  Ｍｉｎｉは通常平面上に置かれ、平面上の液体がＭａｃ  Ｍｉｎｉに流れ込み、よってＭａｃ  Ｍｉｎｉに深刻な影響を与え、また、Ｍａｃ  Ｍｉｎｉの底部に円形突起部があり、水平面に置かれた場合の安定性がよくない。
【課題を解決するための手段】
【０００４】
本考案は支持機能付きのアダプタを提供することを目的とし、従来技術におけるアダプタが電子機器、特にＭａｃ  Ｍｉｎｉを支持できないという問題を解決することを旨とする。
上記の目的を達成するために、本考案は次のような技術的解決手段を採用する。支持機能付きのアダプタを提供し、ベースと、前記ベースに設けられ、前記ベースをカバーするための上蓋と、前記ベース内に設けられた制御板と、前記制御板に電気的に接続された変換アダプタと、前記制御板にそれぞれ電気的に接続された複数の変換インターフェースと、を備え、前記上蓋のうち、前記ベースの底面に面する方向には、電子機器を支持するための溝が設けられ、前記溝は椀状を呈し、前記ベースのうち、前記上蓋から乖離する側面には、複数の滑り止めゴムパッドが等間隔に配置される。
【０００５】
さらに、前記溝の側壁には複数のネジ孔が等間隔に配置され、前記ベースのうち、それぞれの前記ネジ孔に対応する位置には、取付孔が開設され、前記支持機能付きのアダプタは前記上蓋を前記ベースに取り付けるための複数のネジをさらに備え、それぞれの前記ネジは対応する前記取付孔を貫通し、対応する前記ネジ孔に螺合される。
さらに、前記支持機能付きのアダプタは前記ベース内に設けられたメモリをさらに備え、前記メモリは前記制御板に電気的に接続される。
さらに、前記ベースのうち、前記メモリに対応する位置には、開孔が開設され、前記開孔には前記ベースに着脱可能に接続されたカードプレートが設けられる。
【０００６】
さらに、前記支持機能付きのアダプタは前記制御板と前記変換アダプタを電気的に接続するための導体をさらに備え、前記ベースには前記導体を貫通するための貫通孔が開設され、前記導体の一端は前記ベース内に延在し、前記制御板に接続され、前記導体の他端は前記貫通孔を貫通して前記変換アダプタに接続される。
【０００７】
さらに、前記ベースには前記変換アダプタを収容するためのカードスロットが設けられる。
さらに、前記カードスロットに磁気ストライプが設けられ、前記変換アダプタには前記磁気ストライプに磁気的に接続された導磁片が対応して設けられる。
さらに、前記変換インターフェースは前記制御板に電気的に接続された第１ポートを備え、前記ベースには前記第１ポートを支持するための第１端子孔が対応して設けられる。
さらに、前記変換インターフェースは前記制御板に電気的に接続された第２ポートをさらに備え、前記ベースには前記第２ポートを支持するための第２端子孔が対応して設けられる。
さらに、前記変換インターフェースは前記制御板に電気的に接続された第３ポートをさらに備え、前記ベースには前記第３ポートを支持するための第３端子孔が対応して設けられる。
【考案の効果】
【０００８】
本考案では、上蓋に溝が設けられ、当該溝が電子機器を効果的に支持でき、特にＭａｃ  Ｍｉｎｉの場合、Ｍａｃ  Ｍｉｎｉの底部に円形突起部があり、溝を椀状に設定することで、当該円形突起部と良好に嵌合でき、よって、Ｍａｃ  Ｍｉｎｉを安定的に支持することができ、また、ベースには複数の滑り止めゴムパッドが設けられ、滑り止め効果が得られる一方で、ベースを平面と間隔に配置し、平面上の液体がアダプタ又は電子機器に流れ込むことを防止し、よって、アダプタ又は電子機器の安全性及び信頼性を向上させる。
【０００９】
本考案の実施例における技術的解決手段をより明確に説明するために、以下、実施例又は従来技術の説明で使用される図面を簡単に紹介し、当然のことながら、以下の説明における図面は、本考案のいくつかの実施例に過ぎず、当業者であれば、創造的労働を要することなく、これらの図面に基づく他の図面を得ることができる。
【図面の簡単な説明】
【００１０】
【図１】本考案の実施例による支持機能付きのアダプタを展開した構造概略図である。
【図２】本考案の実施例による支持機能付きのアダプタを閉じた正面図である。
【図３】本考案の実施例による支持機能付きのアダプタを閉じた側面図１である。
【図４】本考案の実施例による支持機能付きのアダプタを閉じた側面図２である。
【図５】本考案の実施例による支持機能付きのアダプタを閉じた背面図である。
【図６】本考案の実施例による支持機能付きのアダプタの一部の構造を示す概略図である。
【００１１】
そのうち、図面における各参照番号は符号の説明のとおりである。
【考案を実施するための形態】
【００１２】
本考案が解決しようとする技術的課題、技術的解決手段及び有益な効果をより明らかにするために、以下、図面及び実施例に合わせて本考案をより詳細に説明する。ここで説明される具体的な実施例は本考案を解釈するためのものに過ぎず、本考案を制限するためのものではないことを理解すべきである。
【００１３】
なお、ある要素が別の要素に「固定」又は「設定」されると言われている場合、それは別の要素に直接的又は間接的に位置すべきである。ある要素が別の要素に「接続」されると言われている場合、それは別の要素に直接的又は間接的に接続すべきである。
【００１４】
なお、「第１」、「第２」、「第３」、「第４」、「第５」、「第６」という用語は説明するためのものに過ぎず、相対的な重要度を指示や示唆するもの、或いは指示される技術的特徴の数を暗示的に表示するものとして理解できない。そこで、「第１」、「第２」、「第３」、「第４」、「第５」、「第６」に制限される特徴は、一つ又は複数の当該特徴を明示的や暗示的に含むことができる。本考案の説明において、特に制限されていない限り、「複数」は２つ以上を意味する。
【００１５】
なお、本考案の説明において、「中心」、「長さ」、「幅」、「厚さ」、「上」、「下」、「前」、「後」、「左」、「右」、「鉛直」、「水平」、「頂」、「底」、「内」、「外」などの用語によって指示される方位又は位置関係は、図面に示された方位又は位置関係に基づき、本考案を簡略化するためのものに過ぎず、言及された装置又は要素が特定の方位を有し、特定の方位で構築及び操作しなければならないことを指示や示唆するものではないので、本考案を制限するものと解釈されるべきではない。
【００１６】
なお、本考案の説明において、「取付」、「接続」という用語は別途の規定や制限がない限り、広義に理解されるべきであり、例えば、固定接続されてもよく、着脱可能に接続又は一体に接続されてもよいが、機械的に接続されてもよく、電気的に接続されてもよいが、直接的に接続されてもよく、中間媒体を介して間接的に接続されてもよいが、両要素の内部接通又は両要素の相互作用の関係であってもよい。当業者であれば、場合によって本考案における上記用語の具体的な意味を理解することができる。
【００１７】
図１から図６を参照し、本考案の実施例による支持機能付きのアダプタを説明する。当該アダプタは、ベース１と、ベース１に設けられ、当該ベース１をカバーするための上蓋２と、を備え、ベース１と上蓋２の間に収容室が形成され、アダプタは、当該収容室内に設けられた制御板（図示せず）と、当該制御板に電気的に接続された変換アダプタ４と、制御板にそれぞれ電気的に接続された複数の変換インターフェースと、をさらに備え、上蓋２の中央のうち、ベース１底面に面する方向には、溝２１が設けられ、当該溝２１は椀状を呈し、ベース１のうち、上蓋２から乖離する側面には、複数の滑り止めゴムパッド１１が等間隔に配置される。
【００１８】
選択的に、ベース１は、角形構造を呈し、４つの第１丸コーナー１４を有し、その上端は開口とし、上蓋２はベース１と嵌め合うように当該開口をカバーすることができ、上蓋２は対応する第１丸コーナー１４に適合された第２丸コーナー２２を有する。この構造により、アダプタの構成が電子機器、特にＭａｃ  Ｍｉｎｉのサイズに適合し、アダプタがＭａｃ  Ｍｉｎｉを支持し、美観で上品であり、また、アダプタは、直角による利用者を傷つけることを防ぎ、使用の安全性を向上させるために丸められている。
選択的に、滑り止めゴムパッド１１は、アダプタを円滑に支持するために、第１丸コーナー１４のそれぞれに対応する位置に設けられる。他の実施例では、滑り止めゴムパッド１１の数及び位置は実際のニーズに応じて調整することができるが、それに限定されるものではない。
【００１９】
本考案に係る支持機能付きのアダプタは、従来技術と比べて、上蓋２に溝２１が設けられ、当該溝２１が電子機器を効果的に支持でき、特にＭａｃ  Ｍｉｎｉの場合、Ｍａｃ  Ｍｉｎｉの底部に円形突起部があり、溝２１を椀状に設定することで、当該円形突起部と良好に嵌合でき、よって、Ｍａｃ  Ｍｉｎｉを安定的に支持することができ、また、ベース１には複数の滑り止めゴムパッド１１が設けられ、滑り止め効果が得られる一方で、ベース１を平面から間隔で配置し、平面上の液体がアダプタ又は電子機器に流れ込むことを防止し、よって、アダプタ又は電子機器の安全性及び信頼性を向上させる。
【００２０】
さらに、図１、図５及び図６を参照し、本考案の実施例による支持機能付きのアダプタの一実施形態として、溝２１の側壁には複数のネジ孔２１０が等間隔に形成され、ベース１のネジ孔２１０のそれぞれに対応する位置には取付孔１０が開設され、アダプタは上蓋２をベース１に取り付けるための複数のネジ６をさらに備え、それぞれのネジ６は対応する取付孔１０を貫通し、対応するネジ孔２１０に螺合される。この構造により、上蓋２とベース１とはネジ６によって接続固定されているため、上蓋２とベース１との迅速な着脱を実現しやすく、アダプタの保守が容易になる。なお、Ｍａｃ  Ｍｉｎｉの円形突起部にはネジ６孔が対応して開設され、ネジ６は対応する取付孔１０及び対応するネジ孔２１０を貫通し、対応するネジ６孔に嵌合して固定することができるため、Ｍａｃ  Ｍｉｎｉを効果的に固定し、また、Ｍａｃ  Ｍｉｎｉとアダプタを一体にすることができ、持ち運びやすい。
【００２１】
選択的に、上蓋２の周囲に複数のバックルが設けられ、ベース１には対応するバックルと係合する係合部が設けられ、上蓋２とベース１とを係合させることができる。他の実施例では、上蓋２はまた、接着、溶接などの他の手段によってベース１に接続することができるが、それに限定されるものではない。
【００２２】
さらに、図５を参照し、本考案の実施例による支持機能付きのアダプタの一実施形態として、アダプタはベース１に設けられたメモリ（図示せず）をさらに備え、メモリは制御板に電気的に接続される。具体的には、当該メモリはソリッドステートドライブ（Ｓｏｌｉｄ  Ｓｔａｔｅ  Ｄｉｓｋ、ＳＳＤと略される）であってよく、メモリは制御板に差し込まれる。この構造により、メモリを設定することで、アダプタの記憶機能を増加することができ、アダプタは信号転送の機能を有するだけでなく、ＵＳＢメモリなどのデバイスと同様の記憶機能も有することにより、アダプタの使用機能を向上させる。
【００２３】
さらに、図５を参照し、本考案の実施例による支持機能付きのアダプタの一実施形態として、ベース１のうち、メモリに対応する位置には、開孔（図示せず）が開設され、開孔内にはベース１に着脱可能に接続されたカードプレート１２が設けられる。この構造により、カードプレート１２とベース１との係合によって、カードプレート１２の迅速な着脱を実現でき、カードプレート１２はメモリの位置に対応しており、カードプレート１２を取り外した後、メモリを容易に分解することができる。
【００２４】
さらに、図１を参照し、本考案の実施例による支持機能付きのアダプタの一実施形態として、当該アダプタは制御板と変換アダプタ４を電気的に接続するための導体５をさらに備え、ベース１には導体５が貫通する貫通孔（図示せず）が開設され、導体５の一端はベース１内に延在し、制御板に接続され、導体５の他端は貫通孔を貫通して変換アダプタ４に接続される。具体的には、当該導体５は導線とすることができるが、それに限定されるものではない。この構造により、変換アダプタ４と導体５を介して外部電子機器とが電気的に接続され、導体５がある程度の一定の屈曲性を有するため、変換アダプタ４と電子機器の異なる位置のインターフェースとの接続を実現でき、変換アダプタ４に対応するように電子機器のインターフェースを調整する必要がなくなり、変換アダプタ４の電子機器への接続速度を向上する。他の実施例では、変換アダプタ４は他の手段によって制御板に電気的に接続することができるが、それに限定されるものではない。
【００２５】
選択的に、当該導体５と変換アダプタ４とは、係合、磁気的に接続などのように着脱可能に接続されるが、それに限定されるものではない。
好ましくは、当該変換アダプタ４は２つのＣ型継手の組み合わせによって形成される。他の実施例では、ＵＳＢ変換アダプタ、Ａｐｐｌｅ変換アダプタ、Ｍｉｃｒｏ−ＵＳＢ変換アダプタなど、変換アダプタ４のタイプも、実際のニーズに応じて調整することができ、変換アダプタ４は電子機器に適合した様々なタイプのものとすることができ、これにより、異なる種類のインターフェースとの接続が実現され、アダプタの適応性を向上させることができるが、それに限定されるものではない。
【００２６】
さらに、図５を参照し、本考案の実施例による支持機能付きのアダプタの一実施形態として、ベース１には変換アダプタ４を収容するためのカードスロット１３が設けられる。この構造により、導体５が屈曲された後、変換アダプタ４を当該カードスロット１３内に配置することができ、アダプタを閉じた後の構造の安定性をさらに向上させる。
【００２７】
さらに、本考案の実施例による支持機能付きのアダプタの一実施形態として、カードスロット１３に磁気ストライプ（図示せず）が設けられ、変換アダプタ４には磁気ストライプに磁気的に接続された導磁片が対応して設けられる。この構造により、変換アダプタ４とカードスロット１３とを磁気的に接続し、変換アダプタ４をカードスロット１３内に安定して配置することができる。他の実施例では、変換アダプタ４は他の手段によってカードスロット１３内に安定して配置することもできるが、それに限定されるものではない。
【００２８】
さらに、図３を参照し、本考案の実施例による支持機能付きのアダプタの一実施形態として、変換インターフェースは制御板に電気的に接続された第１ポート３１を備え、ベース１には第１ポート３１を支持するための第１端子孔（図示せず）が対応して設けられる。具体的には、当該第１端子孔と貫通孔とがベース１の同一の側面に位置し、第１ポート３１は制御板に直接的に配置される。好ましくは、当該第１ポート３１はＣ型インターフェースであるが、それに限定されるものではない。この構造により、第１ポート３１の一端が制御板に設けられ、他端が第１端子孔内に延在し、これにより、第１ポート３１は安定して設置され、しかも第１端子孔を介して外部電子機器と接続することができる。
【００２９】
さらに、図１及び図４を参照し、本考案の実施例による支持機能付きのアダプタの一実施形態として、変換インターフェースは制御板に電気的に接続された第２ポート３２をさらに備え、ベース１には第２ポート３２を支持するための第２端子孔（図示せず）が対応して設けられる。具体的には、第２ポート３２は制御板に直接的に配置される。好ましくは、当該第２ポート３２はＳＤカード（Ｓｅｃｕｒｅ  Ｄｉｇｉｔａｌ  Ｃａｒｄ）を挿入するためのＳＤカード用インターフェースであるが、それに限定されるものではない。この構造により、第２ポート３２の一端が制御板に設けられ、他端が第２端子孔内に延在し、これにより、第２ポート３２は安定して設置され、しかも第２端子孔を介して外部電子機器と接続することができる。
【００３０】
さらに、図１及び図４を参照し、本考案の実施例による支持機能付きのアダプタの一実施形態として、変換インターフェースは制御板に電気的に接続された第３ポート３３をさらに備え、ベース１にはポート３３を支持するための第３端子孔（図示せず）が対応して設けられる。具体的には、当該第３端子孔と第２端子孔とがベース１の同一の側面に位置し、第３ポート３３が制御板に直接的に配置される。好ましくは、当該第３ポート３３はＴＦカード（Ｔ−Ｆｌａｓｈ  Ｃａｒｄ、マイクロＳＤカード）を挿入するためのＴＦカード用インターフェースであるが、それに限定されるものではない。この構造により、第３ポート３３の一端が制御板に設けられ、他端が第３端子孔内に延在し、これにより、第３ポート３３は安定して設置され、しかも第３端子孔を介して外部電子機器と接続することができる。
【００３１】
選択的に、変換インターフェースは制御板に電気的に接続された第４ポート３４をさらに備え、ベース１には第４ポート３４を支持するための第４端子孔（図示せず）が対応して設けられる。具体的には、当該第４端子孔と第２端子孔とがベース１の同一の側面に位置し、第４ポート３４が制御板に直接的に配置される。好ましくは、当該第４ポート３４はヘッドホンに接続するためのヘッドホン用インターフェースであるが、それに限定されるものではない。この構造により、第４ポート３４の一端が制御板に設けられ、他端が第４端子孔内に延在し、これにより、第４ポート３４は安定して設置され、しかも第４端子孔を介して外部電子機器と接続することができる。
【００３２】
選択的に、変換インターフェースは制御板に電気的に接続された第５ポート３５をさらに備え、ベース１には第５ポート３５を支持するための第５端子孔（図示せず）が対応して設けられる。具体的には、当該第５端子孔と第２端子孔とがベース１の同一の側面に位置し、第５ポート３５が制御板に直接的に配置される。好ましくは、当該第５ポート３５はＵＳＢ３．０インターフェースであるが、それに限定されるものではない。この構造により、第５ポート３５の一端が制御板に設けられ、他端が第５端子孔内に延在し、これにより、第５ポート３５は安定して設置され、しかも第５端子孔を介して外部電子機器と接続することができる。
【００３３】
選択的に、変換インターフェースは制御板に電気的に接続された第６ポート３６をさらに備え、ベース１には第６ポート３６を支持するための第６端子孔（図示せず）が対応して設けられる。具体的には、当該第６端子孔と第２端子孔とがベース１の同一の側面に位置し、第６ポート３６が制御板に直接的に配置される。好ましくは、当該第６ポート３６はＣ型インターフェースであるが、それに限定されるものではない。この構造により、第６ポート３６の一端が制御板に設けられ、他端が第６端子孔内に延在し、これにより、第６ポート３６は安定して設置され、しかも第６端子孔を介して外部電子機器と接続することができる。
【００３４】
選択的に、ベース１にはさらに灯孔（図示せず）が開設され、当該灯孔と第２端子孔とがベース１の同一の側面に位置する。当該灯孔内にはパイロットランプ３７が設けられ、当該パイロットランプ３７は制御板に電気的に接続され、アダプタの作動状態を表示するために用いられる。パイロットランプ３７が点灯しているときは、アダプタが正常に作動していることを示し、パイロットランプ３７が消灯しているときは、アダプタが作動していないことを示す。
上記は本考案の好ましい実施例に過ぎず、本考案を制限するためのものではなく、本考案の精神及び原則においてなされたあらゆる変更、等価取替及び改良等は、本考案の保護範囲に含まれるべきである。
【符号の説明】
【００３５】
１  ベース
１０  取付孔
１１  滑り止めゴムパッド
１２  カードプレート
１３  カードスロット
１４  第１丸コーナー
２  上蓋
２１  溝
２１０  ネジ孔
２２  第２丸コーナー
３１  第１ポート
３２  第２ポート
３３  第３ポート
３４  第４ポート
３５  第５ポート
３６  第６ポート
３７  パイロットランプ
４  変換アダプタ
５  導体
６  ネジ
【図１】
0003235489.tif 000003
【図２】
0003235489.tif 000004
【図３】
0003235489.tif 000005
【図４】
0003235489.tif 000006
【図５】
0003235489.tif 000007
【図６】
0003235489.tif 000008